(57)【特許請求の範囲】
【請求項１】
階段の踏み面部と段鼻部と蹴上げ部の一部若しくは全部にそれぞれに配設される水平部と屈曲部と前垂れ部とを有する略Ｌ字形状の床材であって、該床材の前垂れ部の表面に水平方向に連続的又は断続的に設けた水切り突起を前方鋭角に形成したことを特徴とする階段用床材。
【請求項２】
階段の踏み面部と段鼻部と蹴上げ部とにそれぞれに配設される水平部と屈曲部と前垂れ部とを有する略Ｌ字形状の床材であって、該床材の前垂れ部の下端に前方鋭角に形成する水切り突起を有する水切り部材を固定してなることを特徴とする階段用床材。
【請求項３】
水切り突起が、床材の前垂れ部の表面から１．５〜１５ｍｍ突出していることを特徴とする請求項１ないし２に記載の階段用床材。
【請求項４】
水切り突起を、床材の前垂れ部の上端部に形成したことを特徴とする請求項１又は請求項３に記載の階段用床材。
【請求項５】
水平部に凹凸が形成されていることを特徴とする請求項１ないし請求項４のいずれかに記載の階段用床材。
【請求項６】
階段の踏み面部と段鼻部と蹴上げ部の一部若しくは全部にそれぞれに配設される水平部と屈曲部と前垂れ部とを有する略Ｌ字形状の床材であって、該床材の前垂れ部の下端縁が前方鋭角に形成されていることを特徴とする階段用床材。
【請求項７】
請求項１ないし６に記載のいずれかの階段用床材を、階段に固定させたことを特徴とする階段構造。
【発明の詳細な説明】
【技術分野】
【０００１】
本発明は、階段の蹴上げ部又は階段用床材の垂直部に雨だれの筋を生じさせない階段用床材または階段構造に関する。
【背景技術】
【０００２】
従来から階段の段鼻部に防滑性階段用部材を設置し、階段の昇降の安全性が確保されるようになされている。このような部材は、一般的には、金属枠体に滑り防止用桟を嵌め込むものであり、長期間の使用により隙間ができ、ごみがたまりやすいという問題があった。
【０００３】
このような問題に対処するために、断面略Ｌ字状の補助固定板と滑り防止部材によって、隙間が発生するのを防止する階段構造が提案されている（特許文献１参照）。
【特許文献１】特開２００３−１８４２５３号公報
【０００４】
しかしながら、このような階段構造に使用される階段用床材であっても、階段の蹴上げ部に雨水が滴り落ちて雨だれの筋ができるという問題が残されていた。すなわち、雨水が降り込むような階段では、踏み面部の汚れを含んだ雨水が段鼻部を越えて階段の蹴上げ部に流下し、これが続くと流下し続けた箇所に、雨だれの筋ができていた。
この雨だれの筋は、階段の蹴上げ部のコンクリート表面に、あるいは階段の蹴上げ部が階段用床材水平部から延設された階段用床材の垂直部で覆われている場合には、当該階段用床材の垂直部表面にできるのであるが、一般にコンクリートの方が階段用床材に比べて表面が平滑ではないので汚れが付きやすく、早期に雨だれの筋が目立つようになる。
しかし、何れの場合にも、長期的な使用による雨水流下の結果、雨だれの筋ができるので、階段の蹴上げ部または階段用床材の垂直部の美観を損ねるという問題があった。
【発明の開示】
【発明が解決しようとする課題】
【０００５】
本発明は上記の問題に対処すべくなされたもので、階段の蹴上げ部又はこれに配設された階段用床材の垂直部に、雨だれの筋を生じさせない階段用床材を提供することを目的とする。
【課題を解決するための手段】
【０００６】
上記目的を達成するため、本発明の階段用床材は、階段の踏み面部と段鼻部と蹴上げ部とにそれぞれに配設される水平部と屈曲部と前垂れ部とを有する略Ｌ字形状の床材であって、床材の前垂れ部の表面に水平方向に連続的又は断続的に設けた水切り突起を前方鋭角に形成したことを特徴とするものである。
【０００７】
また、本発明の他の階段用床材は、階段の踏み面部と段鼻部と蹴上げ部とにそれぞれに配設される水平部と屈曲部と前垂れ部とを有する略Ｌ字形状の床材であって、該床材の前垂れ部の下端に前方鋭角に形成する水切り突起を有する水切り部材を固定してなることを特徴とするものである。
【０００８】
本発明に係る階段用床材においては、水切り突起が、床材の前垂れ部の表面から１．５〜１５ｍｍ突出していることが望ましい。
そして、水切り突起を、床材の前垂れ部の上端部に有することが望ましい。
さらに、床材の水平部に凹凸が形成されていることも望ましい。
【０００９】
床材の前垂れ部の下端縁が前方鋭角に形成されていることも望ましい。
【００１０】
また、本発明の階段構造は、上記の各階段用床材を階段に固定させたことを特徴とするものである。
【発明の効果】
【００１１】
本発明の階段用床材は、階段に配設された床材の前垂れ部に水平方向に連続的又は断続的に設けた水切り突起を前方鋭角に形成してあるので、靴底などにより汚れた階段の踏み面部または踏み面部に配設された床材の水平部に雨水が降り注ぎ、この雨水が段鼻部に配設された床材の屈曲部を通って前垂れ部に流下しても、前記水切り突起によって雨水が階段の蹴上げ部又は階段用床材の垂直部へと伝い流れずに、水切り突起の先端から下方の踏み面に直接或いは階段用床材の水平部に直接落下するので、階段の蹴上げ部又は階段用床材の垂直部に雨だれの筋ができるのを防ぐことが出来る。
【００１２】
本発明の第２の階段用床材は、前垂れ部の下端に、前方鋭角に形成する水切り突起を有する水切り部材を固定しているので、階段の蹴上げ部又は、階段用床材の垂直部に雨水による雨だれの筋ができるのを防ぎ、かつ当該床材の製造も容易である。
【００１３】
本発明の階段用床材において、床材の前垂れ部の表面から水切り突起の先端までの水平距離が１．５ｍｍ以上１５ｍｍ未満であると、水切り突起によって雨水が下方の踏み面或いは階段用床材の水平部に直接落下して、階段の蹴上げ部又は階段用床材の垂直部の表面を伝って流れることがないようにすることができると共に、歩行者がつま先を水切り突起に引っかける心配が少ない。
【００１４】
そして、水切り突起が床材の前垂れ部の上端部に形成されていると、当該水切り突起による水切り作用が床材の前垂れ部の上端部で行われるので、床材の前垂れ部の全面で雨水による雨だれの筋がなくなる。
【００１５】
また、水平部に凹凸が形成されていると、凹凸が靴底と引っ掛かりあうので、階段が雨水で濡れていても防滑性を発揮することができる。
【００１６】
床材の前垂れ部の端縁が前方鋭角に形成されていると、前垂れ部に水切り突起を有する場合と同じように、当該端縁において水切りがなされて、階段の蹴上げ部又は階段用床材の垂直部に雨だれの筋ができるのを防ぐことができる。
【００１７】
本発明の階段用床材を階段に固定した階段構造であると、階段の蹴上げ部又は床材の垂直部に雨だれの筋ができない階段構造とすることができ、長期間に亘り美しさを保つことができて、掃除等の回数を少なくすることができる。
【発明を実施するための最良の形態】
【００１８】
以下、図面を参照して本発明の具体的な実施形態を詳述する。
【００１９】
［実施例１］
図１は本発明の実施例１に係る階段用床材を階段に配設した状態を示す断面図である。
【００２０】
図１における階段用床材１は、階段Ｓの踏み面部Ｓ１と略直角に曲がった段鼻部Ｓ２と垂直である蹴上げ部Ｓ３に沿わせて固定される階段用床材であって、階段Ｓの踏み面部Ｓ１に沿わせる水平部３と、段鼻部Ｓ２に沿わせる略直角に曲がった屈曲部４と、蹴上げ部Ｓ３に沿わせる略垂直な前垂れ部５とからなる略Ｌ字状をなしている。
そして、床材１の水平部３は、階段Ｓの踏み面部Ｓ１の全体を覆う事なく、踏み面部の一部である段鼻部Ｓ２近くのみを覆い、また、床材１の前垂れ部５も蹴上げ部３の一部である上部を覆っている。
なお、階段Ｓの踏み面部Ｓ１、蹴上げ部Ｓ３のいずれか一方、あるいは両方の全面を覆うように階段用床材を形成して配設しても良い。
【００２１】
水平部３の上側の表面には上方に突出した防滑突起３１が設けられていて、防滑性を有する床材となしている。この防滑突起３１は、屈曲部４の近くの水平部３に設けられ、人が階段の昇降時に踏みやすくして、防滑性を高めることが好ましい。
【００２２】
防滑突起３１は、幅方向に連続的に形成されていても良いが、断続的に形成されても良い。防滑突起３１が幅方向に断続的に形成された階段用床材１は突起３１のない部分が雨水の流路として機能するので、特に良好な排水性を有する点で好ましい。
【００２３】
床材１の前垂れ部５の表面側の上部には、前方に突出した水切り突起２が設けられている。この水切り突起２は、図１においては屈曲部４から連なる前垂れ部５の上端部に設けられている。
水切り突起２は、水切りの機能、即ち屈曲部４から流下してきた雨水が、水切り突起２の先端から落下して蹴上げ部Ｓ３に接しないようにする機能を有すれば、特に形状を限定されるものではないが、例えば図２の拡大図に示すように、前垂れ部５の表面から前方へ三角形状に突出し、その先端が鋭角になされ且つ下方を向くように、その三角形状水切り突起２の先端である突起先端２３を下側の突起根本２５よりも下方に位置するようにすることが好ましい。このような形状であると、雨水が突起２の上斜辺２１を勢いよく前下方に流れ落ちるので、突起先端２３から突起根本２５へと伝い流れることがなくて、蹴上げ部Ｓ３に雨だれの筋が効果的に予防できる。
三角形状水切り突起２の上斜辺２１と突起上部２６の表面との角度αは５°〜７０°が好ましく、７０°より小さいと水が上斜辺の途中で止まることなく、スムーズに滑り落ち、５°より大きいと突起先端２３と前垂れ部５の表面との距離を一定以上に保つことができて突起先端２３から突起下部２４に回り込むことがないからである。
そして、水切り突起２の下斜辺２２と突起下部２４の表面とのなす角度βは９０°未満に、さらには、７０°未満にすることが好ましい。この角度βが９０°未満であると、水切り突起２から雨水が落下する水切り機能が発揮し易く、さらに７０°未満であると多少の風が吹き込んでも突起先端２３から突起根本２５の方向へと下斜辺２２を水滴が伝い流れることがなく、確実に水切りを行うことが出来る。
【００２４】
床材１の突起下部２４の表面から突起先端２３までの突出の距離Ｈが、１．５ｍｍ以上であると突起先端２３から落下する水滴が水切り突起２より下に位置する突起下部２４や蹴上げ部Ｓ３を濡らすことがなく、当該距離Ｈが１５ｍｍ以下であると歩行者のつま先が水切り突起２の先端に引っ掛かってつまずく恐れもないので、１．５〜１５ｍｍが好ましく、更に好ましくは２〜８ｍｍである。
【００２５】
水切り突起２は、突起より下に雨水を伝い流さず、雨だれの筋ができるのを防ぐから、雨水が流下しない部分を広くする点において前垂れ部５の上部に設ける事が好ましく、上端部即ち屈曲部４と前垂れ部５との連接部分に設けると、雨水が流下しない部分を最大にすることができる点で、より好ましい。  
なお、本実施例においては、階段の蹴上げ部Ｓ３には、表面に化粧材が貼付されていないが、前垂れ部の裏面と蹴上げ部表面との間において蹴上げ部の上端から下端まで化粧材を貼付することもでき、その場合に水切り突起２は、蹴上げ面に貼付された化粧材の表面に雨だれ筋ができるのを防ぐ。
【００２６】
このような水切り突起２を有する階段用床材１は、材料において特に限定されるものではないが、合成樹脂製であることが好ましく、屋外で使用されるために高い耐候性を有する塩化ビニル製であることがより好ましい。
【００２７】
階段用床材１は、塩化ビニルなどの合成樹脂を異形押出成形などによって、略Ｌ字状に押し出したり、平板状に押出成形して折り曲げたりすることで、容易に成形することが出来る。
【００２８】
本発明にかかる階段用床材1は、従来の床材と同様の方法で施工をすることができる。すなわち、階段の踏み面部Ｓ１や蹴上げ部Ｓ３に接着剤（不図示）を塗布し、段鼻部には床材と階段の間にできる空隙を埋めるためにシーリング剤６を充てんし、その後に階段用床材１を配設して、接着剤或いはシーリング剤6が固化することにより貼り付ける。この際、前垂れ部と蹴上げ部上部の間には、接着剤やシーリング剤が硬化するまでの間、階段用床材の仮固定のために両面粘着テープ７を使用することが好ましい。また、シーリング剤６を使用することなく、接着剤のみで貼り合わせることもできる。
【００２９】
上記のような階段用床材１であると、雨水が段鼻部Ｓ２に配設された床材１の屈曲部４を通って前垂れ部５に流下しても、水切り突起２によって雨水が階段Ｓの蹴上げ部Ｓ３へと伝い流れずに、突起先端２３から下方の踏み面Ｓ１に直接或いは階段用床材１の水平部３に直接落下するので、階段の蹴上げ部Ｓ３に雨だれの筋ができるのを防ぐことが出来る。
【００３０】
［実施例２］
図３は本発明の実施例２の階段用床材を示す断面図である。この床材１１は、その水平部３を後方に延設し、階段の踏み面全面を覆うようにした点、前垂れ部５を下方に延設すると共に薄肉化した点以外は、実施例1の階段用床材１と同じであるので、説明を省略する。
【００３１】
この階段用床材１１の前垂れ部５は、実施例１のそれよりも下方に延設されていて、階段の蹴上げ部Ｓ３の中位まで延びている。なお、前垂れ部５は階段の蹴上げ部Ｓ３の下端即ち踏み面Ｓ２に達するまで延設することもできる。そして、この前垂れ部５の厚みは、実施例１に比べ、薄くなされている。これは床材１１の水平部３や屈曲部４に比べて前垂れ部５は必要とされる強度が低いこと、人が踏み付けることがないことなどから、十分な強度を有する範囲で厚みを薄くして使用材料の減量を目的とするものである。通常の使用では、水平部３及び屈曲部４の厚みは２〜５ｍｍとされているが、前垂れ部５は０．５〜２ｍｍでも十分に使用に耐えうる。
この実施形態の床材１１は、雨水が屈曲部４を通って前垂れ部５に流下しても、水切り突起２によって雨水が階段の蹴上げ部Ｓ３あるいは蹴上げ部に化粧材が貼付された場合の化粧材の表面または床材１１の突起下部２４へと伝い流れず、雨だれの筋ができるのを防ぐことが出来ると共に踏み面全面が階段用床材の水平部３で被覆されているので、美観に優れ、歩行時にクッション性を与えるという効果も有している。
【００３２】
〔実施例３〕
図４は本発明の実施例３の階段用床材を示す断面図である。この床材１２は、その水平部３を後方にさらに延設して、階段への配設固定時に上方に折り曲げて階段の蹴上げ部Ｓ３を覆う垂直部３２が形成できるようにした点以外は、実施例２の階段用床材１１と同じであるので、説明を省略する。
この階段用床材１２は、図４に示すように、下側の階段用床材１２の水平部３を折り曲げて垂直部３２を形成して階段の下段側から階段Ｓに配設固定した後に、上段の階段用床材１２を配設するのであるが、その際に、下段の床材１２の垂直部３２の表面に上段の床材１２の前垂れ部５が重なるように配設して接着することで、階段Ｓに配設固定できるのである。
この階段用床材１２では、水切り突起２によって、雨水が階段用床材１２の突起下部２４と床材１２の垂直部３２へと伝い流れず、雨だれの筋ができるのを防ぐことが出来る。
【００３３】
［実施例４］
図５は本発明の階段用床材の実施例４を示し、階段用床材本体１３１の前垂れ部５に水切り具８を接合することによって成形されたものである。
階段用床材本体１３１は、階段の踏み面部Ｓ１と段鼻部Ｓ２と蹴上げ部Ｓ３に沿わせて固定される略Ｌ字状の床材であって、踏み面部Ｓ１に配設される水平部３に滑り止め用の突起３１が形成され、蹴上げ部Ｓ３に配設される前垂れ部５の下側は薄肉とされているが、水切り突起２は形成されていない。なお、水平部３は階段の踏み面部Ｓ１の一部又は全面を覆っても良いし、前垂れ部５は蹴上げ部Ｓ３の一部又は全部を覆ってもよい。
【００３４】
水切り具８は、図５に示されるように、水切り突起部８１と床材本体１３１と接合するための平坦状の鍔部８２とからなるものであり、鍔部８２が前垂れ部５に接合されることにより、階段用床材１３１に水切り突起２が形成されて、本発明の階段用床材１３となる。水切り具８の材質は、特に限定されるものではないが、接着剤を使用する場合には、床材本体と同系統の材料にすることが、良好な接着強度の点で好ましい。
なお、水切り突起部８１の形状や突出の距離などは、実施例１の水切り突起２と同様であるので説明を省略する。
この実施形態の床材１３であれば、雨水が床材１３の屈曲部４を通って前垂れ部５に流下しても、水切り突起２によって雨水が階段の蹴上げ部Ｓ３あるいは蹴上げ部Ｓ３に化粧材が貼付された場合の該化粧材の表面又は床材１３の前垂れ部５の突起下部２４へと伝い流れず、雨だれの筋ができるのを防ぐことが出来ると共に、床材本体１３１に水切り具８を接合するだけであるので、床材本体１３１を水切り具８を接合することなく配設することもできるし、水切り具８を接合した床材１３としても使用できるし、或いは床材本体１３１を階段Ｓに配設固定した後に水切り具８を接合することもできるので、用途或いは要望に応じたものとすることができる、という利点を有する。
【００３５】
［実施例５］
図６は本発明の階段用床材の実施例５を示し、図７にこの階段用床材１４が施工された階段構造を、図８に本実施例に用いる水切り部材９を示す。この実施例５の階段用床材１４は、実施例４で用いた階段用床材本体１３１の前垂れ部５の下端に水切り部材９を取り付けて形成されたものである。階段用床材本体１３１は、実施例４で用いられたものと同じであるので説明を省略する。
【００３６】
この階段用床材１４に取り付けられる水切り部材９は、水切り突起２が形成された部材であって、図６及び図８に示すように、水切り部材９の下部に水切り突起２が形成されていると共に上部にＵ字状の溝部９５を形成してある。上記水切り突起２は、三角形状をなし、その頂点である先端９３が前方に突出すると共に下方に垂れ下がって鋭角となされている。また、溝部９５は水切り部材９の上部壁部９４の中央に連続する溝として設けられているものである。このような水切り部材９は、水切り突起２が階段の前方に突き出るように、溝部９５を前垂れ部５の下端を差し込んで接合するものである。このような水切り部材９は、合成樹脂を異形押出成形することにより容易に得ることができる。
上記溝部９５の幅は前垂れ部５の厚さと同じ０．５〜２．０ｍｍとし、溝部９５の両側の側壁の厚さは強度保持と薄肉化との兼ね合いから０．５〜２ｍｍとすることが好ましい。
水切り突起２の上面である水切り斜辺９１の角度α２（上部壁部表面と水切り斜辺のなす角度）、水切り突起２の下面である水切り下面９２の角度β２（上部壁部裏面と水切り下面のなす角度）、及び水切り部材９の先端９３の突出の距離Ｈ２（上部壁部裏面と先端９３との距離）は、それぞれ先述した実施例１の水切り突起２の上斜辺２１の角度α、下斜辺２２の角度β、及び先端２３の突出距離Ｈと同様の寸法と角度を有するものであるので、説明を省略する。
【００３７】
水切り部材９は、階段用床材１４の前垂れ部５の下端に取り付けられるため、通常は段鼻部Ｓ２の下方の１０〜６０ｍｍのところに水切り部材９が取り付けられる。
【００３８】
上記階段用床材１４は、水切り部材９の水切り突起２が歩行者のつま先にほとんど引っかかることがなく、水切り突起２より下側にある階段の蹴上げ部Ｓ３あるいは蹴上げＳ３に化粧材が貼付される場合には該化粧材の表面に雨だれの筋ができるのを防ぐ効果を有する。
【００３９】
また、本実施例５に係る階段用床材１４は、上記水切り部材９を階段用床材本体１３１の前垂れ部５の下端に差し込んで接合することによって得ることができるので、床材本体１３１を水切り部材９を差し込むことなく階段に配設することもできるし、水切り部材９を差し込んだ床材１４としても使用できるし、或いは床材本体１３１を階段Ｓに配設固定した後に水切り部材９を差し込むこともできるので、用途或いは要望に応じたものとすることができる、という利点を有する。
また、すでに階段に施工されている階段用床材であっても前垂れ部は粘着剤で固定している場合には、前垂れ部を一時的に捲り上げ、水切り部材９を前垂れ部の下端に取り付けることにより、実施例４に係る階段用床材１３を使用した階段構造を形成することができる。よって、階段に新規に水切り突起を有する階段用床材を設置する場合のみならず、既設の階段用床材からも形成することができる点で特徴を有する。
【００４０】
［実施例６］
図９は本発明の階段用床材の実施例６を示す。この実施例６の階段用床材１５は、前垂れ部の下端縁２８が前方鋭角に形成されたものである。下端縁２８が前方鋭角とは、図９において下端縁２８と前垂れ部５の表面とのなす角度が鋭角となっていることをいうが、この角度は、通常下端縁２８と前垂れ部裏面とのなす角度β３と同じであるため、β３によって表す。角度β３は、８０°未満に、さらには７０°未満にすることが好ましい。この角度β３が８０°未満であると下端縁の先端２７から雨水が落下する水切り機能が発揮しやすく、さらに７０°未満であると多少の風が吹き込んでも下端縁の先端２７から前垂れ部裏面の方向へと下端縁２８を水滴が伝い流れることがなく、確実に水切りを行うことが出来る。
そして、端縁の先端２７から床材裏面までの水平距離Ｈ３は、前垂れ部の厚みと同じであって、１ｍｍ以上であると下端縁の先端２７から落下する水滴が階段の蹴上げ部又は床材の垂直部を濡らすこともなく、１０ｍｍ以下であると歩行者のつま先が下端縁の先端２７に引っ掛かってつまずく恐れもないので、１〜１０ｍｍが好ましく、さらに好ましくは、２〜６ｍｍである。
前垂れ部の長さは、５〜８０ｍｍの範囲で選択されうるが、水切りを蹴上げ部の上部で行うことが好ましいことから、５０ｍｍ未満にすることがより好ましい。
水平部３は、階段の踏み面部Ｓ１の一部又は全面を覆っても良い。また、水平部３からさらに延設して垂直部３２を形成しても良い。
【００４１】
実施例１ないし実施例５の階段用床材１,１１,１２,１３,１４は、ネジ、接着剤などの周知の方法によって階段に固定されうるが、中でも接着剤により階段に貼着されると階段用床材の全体が強固に固定されるので好ましい。
【００４２】
以上、本発明の階段用床材について、複数の実施例に基づいて説明したが、本発明は上記実施例に記載した構成に限定されるものではなく、各実施例に記載した構成を適宜組み合わせるなど、その趣旨を逸脱しない範囲において適宜その構成を変更することができる。
【図面の簡単な説明】
【００４３】
【図１】本発明の実施例１に係る階段用床材を階段に施工した状態を示す断面図である。
【図２】本発明の実施例１の階段用床材の水切り突起部分の拡大図である。
【図３】本発明の実施例２に係る階段用床材を階段に施工した状態を示す断面図である。
【図４】本発明の実施例３に係る階段用床材を階段に施工した状態を示す断面図である。
【図５】本発明の実施例４に係る階段用床材の側面図である。
【図６】本発明の実施例５に係る階段用床材の側面図である。
【図７】本発明の実施例５に係る階段用床材を施工した状態を示す断面図である。
【図８】本発明の実施例５の階段用床材にかかる水切り部材の側面図である。
【図９】本発明の実施例６の階段用床材にかかる水切り部材の側面図である。
【符号の説明】
【００４４】
１,１１，１２，１３，１４    階段用床材
２    水切り突起
３    水平部
３１    防滑突起
３２    垂直部
４    屈曲部
５    前垂れ部
８    水切り具
９    水切り部材
Ｓ    階段
Ｓ１    踏み面部
Ｓ２    段鼻部
Ｓ３    蹴上げ部
【図１】
0004805634.tif 000002
【図２】
0004805634.tif 000003
【図３】
0004805634.tif 000004
【図４】
0004805634.tif 000005
【図５】
0004805634.tif 000006
【図６】
0004805634.tif 000007
【図７】
0004805634.tif 000008
【図８】
0004805634.tif 000009
【図９】
0004805634.tif 000010